(57)【要約】      （修正有）【課題】滑りにくく、ほどけにくいものであって、デザイン性と機能性を兼ね備える飾り紐を提供する。【解決手段】シリコン樹脂製の紐本体２と、紐本体の周面に複数形成されたシリコン樹脂製の起毛部３と、紐本体の一端部側に連設された立ち上がり部と、先端が紐本体を向くように曲げられたガイド部とを備える、シングルフック状の外フック５と、外フックの内側に配置され、紐本体の一端部側に連設された基端部と、先端が外フックの立ち上がり部を向くように曲げられた返し部とを備える、シングルフック状の内フック４とを有し、紐本体と外フックと内フックとにより、曲折された紐本体が挟み込まれ起毛部が掛け留められる結束手段が形成され、紐本体の一端部側には、外フックと内フックの全体を覆う飾り部６が設けてある構成とする。【選択図】図１
0003214707.tif 000002
【実用新案登録請求の範囲】
【請求項１】
（ア）シリコン樹脂製の紐本体と、
（イ）前記紐本体の周面に複数形成されたシリコン樹脂製の起毛部と、
（ウ）前記紐本体の一端部側に連設された立ち上がり部と、先端が前記紐本体を向くように曲げられたガイド部とを備える、シングルフック状の外フックと、
（エ）前記外フックの内側に配置され、前記紐本体の一端部側に連設された基端部と、先端が前記外フックの立ち上がり部を向くように曲げられた返し部とを備える、シングルフック状の内フックとを有し、
（オ）前記紐本体と前記外フックと前記内フックとにより、曲折された前記紐本体が挟み込まれ前記起毛部が掛け留められる結束手段が形成されることを特徴とする飾り紐。
【請求項２】
前記紐本体の前記一端部側には、前記外フックと前記内フックの全体又は一部を覆う葉状又は花びら状の飾り部が設けてあることを特徴とする請求項１記載の飾り紐。
【請求項３】
前記起毛部が、前記外フックを連設した部分から前記紐本体の他端部までの間に多数形成されていることを特徴とする請求項１又は請求項２記載の飾り紐。
【考案の詳細な説明】
【技術分野】
【０００１】
本考案は、飾り紐に関し、特に、帯折り襞留め用飾り紐や草花結束用飾り紐に適する飾り紐に関する。
【背景技術】
【０００２】
従来、帯の折り襞を押さえて縛って飾る飾り紐としては、組紐や輪ゴム等が使用されてきた（例えば、特許文献１参照）。また、飾り紐は、草花等をまとめて花束にする際や長い髪をまとめる際、リボンの代わりに用いることもある。
【先行技術文献】
【特許文献】
【０００３】
【特許文献１】登録実用新案第３１６２６９２号公報
【考案の概要】
【考案が解決しようとする課題】
【０００４】
しかし、特許文献１に記載されたような従来の飾り紐では、滑ってほどけやすいし装飾性に優れないという問題があった。
【０００５】
本考案は、上述した従来の問題点を鑑み、滑りにくく、ほどけにくい飾り紐を提供することを目的とする。また、デザイン性と機能性を兼ね備える飾り紐を提供することを目的とする。
【課題を解決するための手段】
【０００６】
本考案の第１の態様は、（ア）シリコン樹脂製の紐本体と、
（イ）前記紐本体の周面に複数形成されたシリコン樹脂製の起毛部と、
（ウ）前記紐本体の一端部側に連設された立ち上がり部と、先端が前記紐本体を向くように曲げられたガイド部とを備える、シングルフック状の外フックと、
（エ）前記外フックの内側に配置され、前記紐本体の一端部側に連設された基端部と、先端が前記外フックの立ち上がり部を向くように曲げられた返し部とを備える、シングルフック状の内フックとを有し、
（オ）前記紐本体と前記外フックと前記内フックとにより、曲折された前記紐本体が挟み込まれ前記起毛部が掛け留められる結束手段が形成されることを特徴とする飾り紐を提供する。
【０００７】
本考案の第１の態様によれば、滑りにくく、ほどけにくい飾り紐を実現できる。
【０００８】
さらに、前記紐本体の前記一端部側には、前記外フックと前記内フックの全体又は一部を覆う葉状又は花びら状の飾り部が設けてあることが好ましい。滑りにくく、ほどけにくいだけでなく装飾性にも優れ、デザイン性と機能性を兼ね備えることができる。
【０００９】
さらに、前記起毛部が、前記外フックを連設した部分から前記紐本体の他端部までの間に多数形成されていることが好ましい。より滑りにくく、ほどけにくい飾り紐となる。また、被結束物が帯の折り襞である帯折り襞留め用飾り紐、あるいは、被結束物が草花又は髪である草花結束用飾り紐であることが好ましい。
【考案の効果】
【００１０】
本考案の飾り紐によれば、滑りにくく、ほどけにくい。さらに、装飾性にも優れ、滑りにくく、ほどけにくい。
【図面の簡単な説明】
【００１１】
【図１】本考案の実施例１の飾り紐の構造を示す概略図である。
【図２】本考案の実施例１の飾り紐の要部拡大説明図である。
【図３】本考案の実施例２の飾り紐の構造を示す概略図である。
【図４】本考案の実施例３の飾り紐の構造を示す概略図である。
【考案を実施するための形態】
【００１２】
以下、本考案の飾り紐の好ましい実施形態について、実施例を用いて具体的に説明する。
【実施例１】
【００１３】
図１は、本考案の実施例１の飾り紐の構造を示す概略図である。図２は、本考案の実施例１の飾り紐の要部拡大説明図である。
【００１４】
本実施例は、（ア）シリコン樹脂製の紐本体２と、（イ）紐本体の周面に複数形成されたシリコン樹脂製の起毛部３と、（ウ）紐本体の一端部側に連設された立ち上がり部５１と、先端が紐本体を向くように曲げられたガイド部５２とを備える、シングルフック状の外フック５と、（エ）外フックの内側に配置され、紐本体の一端部側に連設された基端部４１と、先端が外フックの立ち上がり部を向くように曲げられた返し部４２とを備える、シングルフック状の内フック４とを有し、（オ）紐本体と外フックと内フックとにより、曲折された紐本体が挟み込まれ起毛部が掛け留められる結束手段が形成され、（カ）紐本体の一端部側には、外フックと内フックの全体を覆う飾り部６が設けてある飾り紐である。図２においては、飾り部６の一部を点線で示してある。
【００１５】
紐本体２の両端部のうち、外フック５が設けられている側を「一端部」又は「先端部」とし、他方の端を「他端部」又は「根元部」として説明する。
【００１６】
本実施例では、全体がシリコン樹脂製であり、金型による一体成形で製造するが、各パーツを溶着して組み立ててもよい。
【００１７】
飾り部６は、本実施例では、葉状、詳細には、四つ葉のクローバーの葉の形状であるが、花びら状等、他の飾りでもよい。本実施例では、飾り部６の大きさは、外フックと内フックが隠れない程度であるが、外フックと内フックの一部又は全部が隠れるほど大きなものであってもよい。本実施例では、飾り部６の中央に紐本体２の一端が連接されている。
【００１８】
起毛部３は、本実施例では、紐本体２が飾り部６に接続された一端部（先端部）から外フック５との接続部分までは設けておらず、外フック５との接続部分から紐本体２の他端部（根元部）までは、ほぼ均等な間隔で本体に沿って長手方向に一列に多数設けられているが、紐本体２の一端部から他端部まで起毛部３を設けてもよい。本実施例では、起毛部３は、先端が紐本体２の一端部方向外向きに設けられている。紐本体２の他端部側の密集度を高くして紐本体２の一端部側の密集度を低くしてもよい。飾り部６に接続された一端部まで設けてもよい。
【００１９】
本実施例の飾り紐１で結束する被結束物としては、帯の折り襞や草花、髪などが挙げられる。
【００２０】
結ぶときは、被結束物に飾り紐１を１回又は複数回巻きつけ、紐本体２の他端部側を、外フック５と内フック４の間に入れて内フック４と紐本体２の間に保持し、内フック４と外フック５で外れ止めの役割を果たし、起毛部３が滑り止めとストッパーの役割を果たす。また、同時に、紐本体２が茎、飾り部６が葉、起毛部３が産毛か毛羽立ち、外フック５と内フック４が枝分かれの茎か蔓のように見え、装飾的な役割を果たす。
【００２１】
外フック５の長さは７〜１０ｍｍ程度が好ましい。また起毛部３の長さは１ｍｍ以内が好ましい。本実施例では、飾り紐１の紐本体２の長さは３５ｃｍであり、紐本体２が飾り部６に接続された一端から０．５ｃｍのところに内フック４が連設されており、飾り部６に接続された紐本体２の一端から１ｃｍのところに外フック５が連設されている。内フック４の長さは３ｍｍ、外フック５の長さは８ｍｍ、起毛部３の長さは１ｍｍである。飾り部６の直径は３ｃｍ、紐本体２及び内フック４並びに外フック５の直径は２ｍｍである。外フック５の先端と紐本体２との隙間は２ｍｍである。また、内フック４の先端と外フック５との隙間は３ｍｍである。ただし、外フックと内フックの間に紐本体を入れて内フックと紐本体の間で保持できれば、各長さ及び太さはこれに限らない。
【００２２】
本実施例では、１本の紐であるが、複数本の紐本体２の一部を接着等して１つの飾り紐としてもよい。
【００２３】
本実施例によれば、滑りにくく、ほどけにくい。さらに、装飾性にも優れ、滑りにくく、ほどけにくい。
【００２４】
本実施例では、起毛部が、外フックを連設した部分から紐本体の他端部までの間に多数形成されているので、ストッパー効果が高い。
【実施例２】
【００２５】
図３は、本考案の実施例２の飾り紐の構造を示す概略図である。本考案の実施例２の飾り紐１´では、紐本体は、他端部（根元部）は１本の紐本体２ｃであるが、一端部（先端部）が繋ぎ部７において紐本体２ａと紐本体２ｂの二つに分かれている。紐本体２ａには、起毛部３ａ、内フック４ａ、外フック５ａ、飾り部６ａが設けられており、紐本体２ｂには、起毛部３ｂ、内フック４ｂ、外フック５ｂ、飾り部６ｂが設けられている。繋ぎ部７より他端側である紐本体２ｃには、起毛部３ｃが設けられている。他の点は、上述した実施例１と同様である。
【００２６】
本実施例では、紐本体２は一端部が二つに分かれているが、他端部側が分かれていてもよく、紐本体２の両端部でそれぞれ二つに分かれていてもよく、また、いずれの場合でも、３つ以上に分かれていてもよい。
【００２７】
本実施例では、金型による一体成形で製造するが、溶着加工で製造してもよい。
【００２８】
本実施例では、起毛部３は、先端が紐本体２の一端部方向外向きに設けられているが、先端が紐本体２の一端部方向外向きの起毛部と先端が紐本体２の他端部方向外向きの起毛部が混合していてもよい。一方向だけでなく他方向への滑り止めの役割も果たすので、結び方のバリエーションが増える。
【００２９】
本実施例の飾り紐によれば、滑りにくく、ほどけにくいうえに、複数カ所で留めることができるので、より高いデザイン性と機能性を兼ね備える。
【実施例３】
【００３０】
図４は、本考案の実施例３の飾り紐の構造を示す概略図である。図４においては、飾り部６に隠れる外フック５と内フック４を点線で示してある。本考案の実施例３の飾り紐１´´では、飾り部６は、外フック５と内フック４の全部が隠れるほど大きい。他の点は、上述した実施例１と同様である。
【００３１】
本実施例の飾り紐によれば、滑りにくく、ほどけにくいうえに、外フック５と内フック４や結束した際の結び目が見えないため、より装飾性に優れ、高いデザイン性と機能性を兼ね備える。
【００３２】
なお、本考案は、上記実施の形態に限定されず、その考案の趣旨を逸脱しない範囲で種々の変形実施が可能である。
【符号の説明】
【００３３】
１、１´、１´´    飾り紐
２    紐本体
３    起毛部
４    内フック
４１  基端部
４２  返し部
５    外フック
５１  立ち上がり部
５２  ガイド部
６    飾り部
７    繋ぎ部
【図１】
0003214707.tif 000003
【図２】
0003214707.tif 000004
【図３】
0003214707.tif 000005
【図４】
0003214707.tif 000006